(57)【要約】【課題】ハンドルを邪魔にならない方向に向けることができると共に、梯子を伸縮構造にしなくても梯子を使用したり収納可能にする。【解決手段】第１部材２４に設けた支持フレーム３６に、軸方向移動自在に且つ軸心回りに回動自在に係止部材２９を設け、第１部材２４に連結する第２部材２０に係止部材２９の軸方向移動によって係脱する被係止部２７を設け、支持フレーム３６に係止部材２９を係止方向に付勢する付勢手段４７を設け、係止部材２９に付勢手段４７に抗して係止部材２９を離脱方向に移動させるハンドル３７を設けており、係止部材２９を付勢手段４７により係止方向に移動させるときに、ハンドル３７を係止終端側で回動させる回動部４５を支持フレーム３６に設けている。【選択図】図５
2005194759.tif 000002
【特許請求の範囲】
【請求項１】
第１部材に設けた支持フレームに、軸方向移動自在に且つ軸心回りに回動自在に係止部材を設け、前記第１部材に連結する第２部材に前記係止部材の軸方向移動によって係脱する被係止部を設け、前記支持フレームに係止部材を係止方向に付勢する付勢手段を設け、係止部材に付勢手段に抗して係止部材を離脱方向に移動させるハンドルを設けており、前記係止部材を付勢手段により係止方向に移動させるときに、前記ハンドルを係止終端側で回動させる回動部を、支持フレームに設けていることを特徴とする連結機構。
【請求項２】
前記被係止部に係止した係止部材の離脱方向直線移動を阻止すべく前記ハンドルと当接可能な阻止部を設けていることを特徴とする請求項１に記載の連結機構。
【請求項３】
前記第２部材を昇降口を有する足場板の長手方向一端側に設けた一対の固定ブラケットで構成し、前記第１部材を固定ブラケットに回動自在に係止可能な梯子で構成していることを特徴とする請求項１に記載の連結機構。
【請求項４】
前記支持フレームの回動部は、ハンドルを係止終端側で回動する方向を、足場台の昇降口から離れる方向に設定していることを特徴とする請求項３に記載の連結機構。
【請求項５】
長手方向両端側にフック部材が設けられると共に長手方向一端側近傍に昇降口を有する足場台と、上端が足場台の昇降口近傍に連結されていて使用姿勢と収納姿勢とに姿勢変更可能な梯子とを備え、前記足場台の昇降口と長手方向一端側のフック部材との間に固定ブラケットを設けており、前記固定ブラケットにリンク部材の一端を揺動自在に連結し、このリンク部材の他端に梯子の上端に回動自在に連結し、前記リンク部材を梯子を使用姿勢から収納姿勢にしたときに前記他端側が長手方向一端側のフック部材近傍まで揺動可能しており、
前記リンク部材に設けた支持フレームに、軸方向移動自在に且つ軸心回りに回動自在に係止部材を設け、前記リンク部材に連結する固定ブラケットに前記係止部材の軸方向移動によって係脱する被係止部を設け、前記支持フレームに係止部材を係止方向に付勢する付勢手段を設け、係止部材に付勢手段に抗して係止部材を離脱方向にハンドルを設けており、前記係止部材を付勢手段により係止方向に移動させるときに、前記ハンドルを係止終端側で回動させる回動部を、支持フレームに設けていることを特徴とする足場台ユニット。
【発明の詳細な説明】
【技術分野】
【０００１】
本発明は、２部材を連結する連結機構と、この連結機構で足場台と梯子とを連結した足場台ユニットに関する。
【背景技術】
【０００２】
足場台に梯子を備えた足場台ユニットとして、特許文献１に示すものがある。
この足場台の長手方向両端側には、パイプに係止するフック部材が設けられ、長手方向一端側には昇降口が設けられており、梯子の上端は昇降口の近傍で足場台に設けられた固定ブラケットを介して回動自在に支持されている。
この足場台ユニットは、例えば建築現場等で建物を建築する際に使用されるもので、支持体に支持された一対のパイプにフック部材を係止して足場台を固定し、その足場台上で作業ができるようになっている。そして、梯子を使用するときは梯子を下方側に回動させて梯子の下端を設置面に接地し、梯子を使用しないときは梯子を上方側に回動させて足場台の下部に収納することができるようになっている。
【０００３】
また、この足場台ユニットは、足場台の下側に梯子を収納するようにしてるので、梯子の長さは足場台の長さよりも短くなっている。
ところで、建築現場等ではパイプの間隔は１８００ｍｍ、足場台の高さは１７２５ｍｍ（１８００ｍｍ）と規格等で定められており、足場台の長さと足場台の高さとが略同じである。
したがって、梯子を収納姿勢から使用姿勢にするときに足場台に収納した梯子を単に下方に回動させただけでは梯子の下端が設置面に届かないので、梯子を使用する場合は梯子を延ばすようにしている。
【０００４】
一方、梯子を使用姿勢から収納姿勢にするときに使用姿勢にしている梯子を単に上方に回動させただけでは梯子が足場台よりも長くなり足場台の下に収納できないので、梯子を収納する場合は梯子を縮めるようにしている。
また、この足場台ユニットには、梯子を収納姿勢にしたときに梯子の下側と係止して、梯子の下側と足場台とを連結する連結機構が設けられている。この連結機構は足場台の長手方向他端側に一対のブラケットを設け、一方、梯子に軸方向移動自在に且つ軸心回りに回動自在に支持した係止ピンを設けることによって構成されており、係止ピンをブラケットに設けた被係止部に係止することによって、梯子の下側を足場台に連結可能にしている。この係止ピンには、ハンドルが設けられておりこのハンドルを係止方向及び係止離脱方向に操作することによって、係止ピンは軸方向に移動する。
【特許文献１】特開平５−４７２１１号公報
【発明の開示】
【発明が解決しようとする課題】
【０００５】
しかしながら、従来の足場台ユニットでは、ハンドルが軸方向に回動することがあり場合によっては、梯子を使用する際に、ハンドルの先端側が梯子の昇降側へ向くことがあるので昇降の際にハンドルが邪魔になることがある。
また、従来の足場台ユニットでは、梯子を使用する際には梯子を延ばし、梯子を使用しない場合には梯子を縮める作業をしなければならず、この梯子の伸縮作業が非常に面倒であった。また、梯子を伸縮するために、梯子を伸縮させる構造が必要で構造が複雑になると共に、足場台ユニット自体の製造コスト等も高くなるという問題がある。
【０００６】
そこで、本発明は、上記問題点に鑑み、係止部材と被係止部との係脱で２部材を連結するときに、係止部材に設けたハンドルを邪魔にならないようにする２部材の連結機構を提供する。
また、前記連結機構で足場台と梯子とを連結して足場台と梯子との連結状態であるときにおいてハンドルを邪魔にならないようにすると共に、梯子を伸縮構造にしなくても梯子を使用、収納可能で且つ安価な足場台ユニットを提供することを目的とする。
【課題を解決するための手段】
【０００７】
前記目的を達成するため、本発明においては以下の技術的手段を講じた。即ち、第１部材に設けた支持フレームに、軸方向移動自在に且つ軸心回りに回動自在に係止部材を設け、前記第１部材に連結する第２部材に前記係止部材の軸方向移動によって係脱する被係止部を設け、前記支持フレームに係止部材を係止方向に付勢する付勢手段を設け、係止部材に付勢手段に抗して係止部材を離脱方向に移動させるハンドルを設けており、前記係止部材を付勢手段により係止方向に移動させるときに、前記ハンドルを係止終端側で回動させる回動部を、支持フレームに設けている点にある。
【０００８】
これによれば、係止部材を付勢手段により係止方向に移動させるときに、前記ハンドルを係止終端側で回動させてハンドルを自動的に所定の方向に向けることができ、これにより、ハンドルを邪魔にならないようにすることができる。
本発明における課題解決のための他の技術的手段は、前記被係止部に係止した係止部材の離脱方向直線移動を阻止すべく前記ハンドルと当接可能な阻止部を設けている点にある。
これによれば、係止部材を被係止部に係止したときに、阻止部にハンドルを位置させることが可能になり、ハンドルの直線移動による係止部材の離脱を防止することができる。
【０００９】
本発明における課題解決のための他の技術的手段は、前記第２部材を昇降口を有する足場板の長手方向一端側に設けた一対の固定ブラケットで構成し、前記第１部材を固定ブラケットに回動自在に係止可能な梯子で構成している点にある。
これによれば、梯子を足場台に対して回動自在に連結することができ、梯子を回動させることで、梯子の姿勢を変更することが可能になる。
本発明における課題解決のための他の技術的手段は、前記支持フレームの回動部は、ハンドルを係止終端側で回動する方向を、足場台の昇降口から離れる方向に設定している点にある。
【００１０】
これによれば、係止部材を被係止部に係止したときに、ハンドルを足場台の昇降口から離れる方向に向けることができ、これによって、梯子を昇降する際にハンドルが邪魔になることはない。
本発明における課題解決のための他の技術的手段は、長手方向両端側にフック部材が設けられると共に長手方向一端側近傍に昇降口を有する足場台と、上端が足場台の昇降口近傍に連結されていて使用姿勢と収納姿勢とに姿勢変更可能な梯子とを備え、前記足場台の昇降口と長手方向一端側のフック部材との間に固定ブラケットを設けており、前記固定ブラケットにリンク部材の一端を揺動自在に連結し、このリンク部材の他端に梯子の上端に回動自在に連結し、前記リンク部材を梯子を使用姿勢から収納姿勢にしたときに前記他端側が長手方向一端側のフック部材近傍まで揺動可能しており、前記リンク部材に設けた支持フレームに、軸方向移動自在に且つ軸心回りに回動自在に係止部材を設け、前記リンク部材に連結する固定ブラケットに前記係止部材の軸方向移動によって係脱する被係止部を設け、前記支持フレームに係止部材を係止方向に付勢する付勢手段を設け、係止部材に付勢手段に抗して係止部材を離脱方向にハンドルを設けており、前記係止部材を付勢手段により係止方向に移動させるときに、前記ハンドルを係止終端側で回動させる回動部を、支持フレームに設けている点にある。
【００１１】
これによれば、梯子を足場台に連結するときに、ハンドルを係止終端側で回動させてハンドルを自動的に所定の方向に向けることができ、これにより、ハンドルを邪魔にならないようにすることができると共に、梯子を収納姿勢から使用姿勢にする際、リンク部材の他端部は下方に揺動するので、リンク部材の長さの分だけ足場台に対して梯子の上端を下方に移動させることができる。一方、梯子を収納姿勢にする際、リンク部材の他端部は一つのフック部材側近傍まで移動するので梯子の上端をフック部材の近傍に近づけることができる。
【発明の効果】
【００１２】
ハンドルを邪魔にならない方向に向けることができると共に、梯子を伸縮構造にしなくても梯子を使用したり収納することができる。
【発明を実施するための最良の形態】
【００１３】
以下、本発明の実施の形態を図面を参照して説明する。
図１、２に示すように足場台ユニット１は足場台２と、この足場台２に回動自在に連結される梯子３とを有している。
足場台２は、アルミ合金、ステンレス等の金属系材料で長方形に板状に形成されており、この足場台２の長手方向一端側には昇降口４が形成され、足場台２の長手方向両端部にはフック部材５が設けられている。梯子３の上部は足場台２の昇降口４近傍に連結機構６を介して連結されている。
【００１４】
この足場台ユニット１は、支持体８によって略平行に支持されている一対のパイプ９にフック部材５を係止して足場台２を固定し、梯子３を回動させて設置面Ｆに立てかけて使用姿勢Ａにすることで使用することができ、使用姿勢Ａである梯子３を回動させて足場台２に重ねて収納姿勢Ｂにすることで梯子３を足場台２の下に収納することができるようになっている。
図１、３に示すように、この足場台２は、例えば押し出し成形により角筒状に形成された一対の長尺部材１２の長手方向両端部を断面略コ字形の連結部材１３（例えばチャンネル）で連結して口枠１４を形成し、この口枠１４に矩形状の足場板材１５を長手方向他端側から長手方向中途部まで複数並列させて固定することによって形成され、足場板材１５が口枠１４に固定されていない部分は昇降口４とされている。
【００１５】
足場台２には、昇降口４を開閉する蓋体１６が設けられている。具体的には、昇降口４の幅方向一側部側の長尺部材１２に、矩形状に形成された蓋体１６の一端側がヒンジを介して連結されている。
足場台２をパイプ９に係止するためのフック部材５は、一対の長尺部材１２の長手方向両端部にボルト等の締結具を介して取り付けられて足場台２から突出しており、このフック部材５にはパイプ９に係止したときにパイプ９からの抜け止めを防止するロック機構が設けられている。
【００１６】
足場台２の長手方向一端側、即ち、昇降口４近傍側の連結部材１３には、幅方向に一対の固定ブラケット２０が設けられ、足場台２の長手方向他端側で且つ幅方向中央部には、梯子３を収納姿勢Ｂにしたときに梯子３の下部側を係止可能で収納姿勢Ｂにおける梯子３の開き止めをする開き止め部材２１が設けられている。
梯子３は、一対の支柱２２を長手方向に複数本の桟部材２３で連結して形成されており、この梯子３の幅は足場台２の幅よりもやや狭く設定されていると共に、梯子３の長さは足場台２の長さと同じ又はそれよりも短く設定されている。
【００１７】
なお、梯子３を収納姿勢Ｂにしたときに、梯子３の上端がパイプ９に干渉しない（フック部材５のパイプ受け部よりも長手方向に突出しない）場合は、梯子３を足場台２よりも長くすることができる。
梯子３の上端部側は、一対の帯板状のリンク形成部材３４を介して固定ブラケット２０（第２部材）に連結されている。このリンク形成部材３４は、幅方向に一対のリンク部材２４（第１部材）と、このリンク部材２４の上端を互いに連結する連結部材３３とを有している。
【００１８】
このリンク部材２４の一端側は固定ブラケット２０に揺動自在に連結され、リンク部材２４の他端側は梯子３の上端に回動自在に連結されている。
具体的には、図５、６に示すように、固定ブラケット２０に被係止孔２７（被係止部）が形成され、リンク部材２４の上端部には突出孔２８が形成されており、固定ブラケット２０の被係止孔２７とリンク部材２４の一端側の突出孔２８とに係止ピン２９（係止部材）が挿入されており、これによって、リンク部材２４の一端は係合ピン２９の軸心回りに揺動自在となっている。
【００１９】
一方、リンク部材２４の他端と支柱２２の上端とはボルト３１介して締結されており、リンク部材２４の他端はボルト３１の軸心回りに回動自在となっている。
固定ブラケット２０は、連結部材１３の幅方向両端側に固定されており、固定ブラケット２０の幅方向内側にリンク部材２４が設けられている。また、固定ブラケット２０の幅方向外側に梯子３の支柱２２が配置されている。
リンク部材２４の中途部から下端部にかけて幅方向外側に屈曲しており、これによって、梯子３を長手方向一端側のフック部材５へ揺動させたときに、支柱２２と固定ブラケット２０とが干渉しないようになっている。
【００２０】
各リンク部材２４の長さ（リンク部材２４の突出孔２８からリンク部材２４の取付孔３０までの長さＬ）は、リンク部材２４の他端側を長手方向一端側のフック部材５側に揺動させたときに、図３、４に示すように、梯子３の上端がフック部材５又はパイプ９に干渉しない程度に設定されている。
係止ピン２９は、リンク形成部材３４に設けられた支持フレーム３６に軸方向移動自在に且つ軸心回りに回動自在に支持されており、この係止ピン２９の軸方向移動によってリンク部材２４（リンク形成部材３４）、即ち、梯子３は固定ブラケット２０に着脱自在となっている。
【００２１】
この係止ピン２９の後端部には、係止ピン２９の後端部から屈曲して長手方向一端側のフック部材５側へ向くハンドル３７が設けられている。
このハンドル３７よりも幅方向内側には、被係止部２７に係止している係止ピン２９の被係止部２７からの離脱を阻止すべくハンドル３７の離脱方向への移動を規制すると共に、被係止部２７に係止している係止ピン２９を被係止部２７からの離脱を可能にすべくハンドル３７の離脱方向への移動を許容するハンドル移動制御部材３８が設けられている。  このハンドル移動制御部材３８は略コの字形のチャンネルを、その溝がリンク部材２４の他端側に向くように（チャンネルの側壁が連結部材３３から突出するように）連結部材３３に取り付けたもので、ハンドル３７の離脱方向への移動を阻止する阻止部４０と、ハンドル３７の離脱方向への移動を許容する許容部４１とを有している。
【００２２】
阻止部４０は、連結部材３３からリンク部材２４の他端側へ突出していてハンドル３７に当接可能なチャンネルの側壁部分から構成され、許容部４１はチャンネルの溝部分から構成されている。
支持フレーム３６は、ハンドル移動制御部材３８の幅方向外側に位置し、係止ピン２９の中途部及び後端部側を支持する一対の支持部４３と、この支持部４３を連結すると共に支持フレーム３６を連結部材３３に取り付ける取付部４４と、内側の支持部４３から幅方向内側に屈曲していてハンドル３７に当接可能でハンドル３７を係止終端側で回動させる回動部４５とを有している。
【００２３】
係止ピン２９を被係止部２７に係止した状態において、係止ピン２９の先端部はリンク部材２４の突出孔２８に挿入され、係止ピン２９の中途部及び後端部は、支持部４３に設けられた挿通孔４６に挿入されており、一対の支持部４３の間の係止ピン２９には、係止ピン２９を係止方向に付勢するスプリング４７（付勢手段）が設けられている。
ハンドル移動制御部材３８の許容部４１（溝部）を下側に向けた状態、即ち、リンク部材２４の他端部を下側に向けて梯子３を使用状態にした状態において、支持フレーム３６の回動部４５は、長手方向他端側から長手方向一端側にいくにしたがって（図６のａ方向）その幅が小さくなるように傾斜状となっている。この回動部４５はハンドル移動制御部材３８の許容部４１よりも下側に位置すると共に、ハンドル移動制御部材３８の長手方向端部側の近傍に位置している。
【００２４】
したがって、リンク部材２４の他端部を下側に向けた状態で被係止部２７に係止ピン２９が係止しているとき、ハンドル３７を長手方向他端側（許容部４１側に近づく方向）に回動させながら付勢手段４７の付勢力に抗して離脱方向に移動させてハンドル３７を許容部４１に位置させることで係止ピン２９を被係止部２７から離脱させることができ、これによって、梯子３を足場台２から取り外すことができる。
一方、許容部４１に位置するハンドル３７を離せば、付勢手段４７の付勢力により係止ピン２９は係止方向に移動し、これによって、梯子３を足場台２に取り付けることができる。
【００２５】
このとき、図６、７に示すように、許容部４１に位置するハンドル３７は付勢力により回動部４５に近づき、自動的に回動部４５を摺動して長手方向一端側に回動しながら係止終端側に移動する。そして、係止終端側でハンドル移動制御部材３８の阻止部４０近傍に位置するようになっており、この状態でハンドル３７を直線的に離脱方向に移動させてもハンドル３７の直線的移動が阻止部４０で規制される。
また、ハンドル３７は係止終端側で回動部４５に当接可能になっており、ハンドル３７の長手方向他端側への回動は回動部４５で規制されている。
【００２６】
したがって、梯子３を足場台２に取り付けた状態では、回動部４５によってハンドル３７の先端部が梯子３の昇降側とは反対側に向くように設定されており、言い換えれば、足場台２の昇降口４から離れる方向に設定されている。
これによって、梯子３を使用する使用姿勢Ａにおいて、ハンドル３７の先端部が梯子３の昇降側に突出することはなく、使用者が梯子３で昇降する際にハンドル３７が使用者に接触することはない。
図４に示すように、この足場台２の昇降口４の幅方向他側部側の長尺部材１２には、長さ方向一対の補助固定ブラケット５０が設けられており、各補助固定ブラケット５０には、リンク形成部材３４に設けられた係止ピン２９が係止可能な被係止孔２７（被係止部）が設けられている。
【００２７】
したがって、図４の破線に示すように、リンク部材２４（リンク形成部材３４）を係止ピン２９を介して補助固定ブラケット５０に係止することで足場台２に対して梯子３を長さ方向に取り付けることが可能である。
梯子３の開き止めをする開き止め部材２１は、足場台２の幅方向中央側で幅方向に回動自在に支持されたフック部材で構成されており、梯子３を足場台２の下側で重合させたときに、梯子３の下方側の桟部材２３に係止することで、梯子３の開き止めをしている。
なお、図８、９に示すように、上記の開き止め部材２１を、支持フレーム５１を介して軸方向移動自在に且つ回動自在に支持された係止ピン５２で構成してもよい。この場合、梯子３の桟部材２３にはこの係止ピン５２と係止する被係止部２７を設け、この係止ピン５１と被係止部２７との係脱により梯子３の下部を連結可能としている。
【００２８】
この支持フレーム５１は、締結具５３を介して足場台２に取り付けられており、足場台２に取り付けられると共に、係止ピン５２の足場台２側外周部と当接する取付部５４と、この取付部５４とで係止ピン５２を挟持する挟持部５５とを有しており、この挟持部５５と取付部５４とで係止ピン５２を挟持することで係止ピン５２は軸方向移動自在に且つ回動自在に支持されている。この挟持部５５には係止ピン５２を係止方向に付勢する付勢手段４７が設けられている。
また、挟持部５５には、係止ピン５２に設けられたハンドル５６と係合してハンドル５６の移動を規制したり許容するハンドル案内溝５７が形成されており、このハンドル５６ハンドル案内溝５７には、ハンドル５６の離脱方向への移動を阻止する阻止部５８と、ハンドル５６の離脱方向への移動を許容する許容部５９と、係止ピン５２を付勢手段４７で係止方向に移動させるときに、ハンドル５６を係止終端側で回動させる回動部６０と、ハンドル５６を離脱位置に固定するロック部６１とを有している。
【００２９】
この回動部６０は、傾斜状に形成されており、この傾斜部をハンドル５６が摺動することによって、ハンドル５６が回動するようになっている。
したがって、ロック部６１にあるハンドル５６を許容部５９に移動させれば、ハンドル５６は回動部６０側に移動し、係止終端側で傾斜している回動部６０を摺動して、そこで回動しながら阻止部５８に移動させることができる。
以上の構成によれば、梯子３が収納姿勢Ｂにある場合、梯子３の開き止め部材２１と梯子３との係止を解除すれば、リンク部材２４の上端を支点としてリンク部材２４の他端が下方に移動する。このとき、リンク部材２４の揺動によって、リンク部材２４の長さだけ梯子３の上端は下方に移動することとなり、梯子３の下端を設置面Ｆに設置して梯子３を使用姿勢Ａにすることができる。
【００３０】
一方、梯子３が使用姿勢Ａにある場合、リンク部材２４の上端を支点としてリンク部材２４の他端部を昇降口４から離れるようにフック部材５側に揺動させて、梯子３の下端を開き止め部材２１に係止すれば、梯子３を足場台２の下部に重合させて、収納姿勢Ｂにすることができる。
本実施形態にかかるは、上記実施の形態に限定されるものではない。
即ち、上記の実施の形態では、図８、９に示すような、開き止め部材２１と桟部材２３との連結機構を足場台２と梯子３との連結機構６に転用してもよい。即ち、一対の固定ブラケット２０の代わりに一対の支持フレーム５１を足場台２に設けて、支柱２２に被係止部２７を設け、このような構成により足場台２と梯子３とを連結するようにしてもよい。
【００３１】
また、リンク部材２４をひとつのリンク形成部材３４で一体的に形成していたが、リンク部材２４を別々に形成し、各リンク部材２４の上端を固定ブラケット２０に揺動自在に連結し、他端を梯子３の上端に回動自在に連結するようにしてもよい。
【図面の簡単な説明】
【００３２】
【図１】本願発明にかかる足場台ユニットの使用姿勢における側面図である。
【図２】足場台ユニットの収納姿勢における側面図である。
【図３】足場台ユニットを収納したときの平面図である。
【図４】連結機構の側面拡大図である。
【図５】連結機構の正面拡大図である。
【図６】連結機構の平面拡大図である。
【図７】図６のＸ−Ｘ断面図である。
【図８】開き止め部材の他の実施の形態の平面図である。
【図９】開き止め部材の他の実施の形態の側面図である。
【符号の説明】
【００３３】
１    足場台ユニット
２    足場台
３    梯子
４    昇降口
５    フック部材
６    連結機構
２０    固定ブラケット（第２部材）
２４    リンク部材（第１部材）
２９    係止ピン（係止部材）
３３    リンク形成部材
３６    支持フレーム
３７    ハンドル
４５    回動部
４７    スプリング（付勢手段）
５１    支持フレーム
６０    回動部
【図１】
2005194759.tif 000003
【図２】
2005194759.tif 000004
【図３】
2005194759.tif 000005
【図４】
2005194759.tif 000006
【図５】
2005194759.tif 000007
【図６】
2005194759.tif 000008
【図７】
2005194759.tif 000009
【図８】
2005194759.tif 000010
【図９】
2005194759.tif 000011